(57)【要約】【課題】浴室洗い場床の裏面の格子状のリブの間隔が狭い場合でも、床裏面に暖房機能を付加する際、ヒータ線の端子数を少なくできる面ヒータを提供する。【解決手段】面ヒータ１を伝熱シート２及び電熱線３で構成する。伝熱シート２は、２つの縦長シート部分２ａ，２ｂを有し、その縦長シート部分２ａ，２ｂを一面上に平行に配置する。縦長シート部分２ａ，２ｂを、その一端において連結シート部分２ｃにより連結した構成とする。そして、電熱線３を、伝熱シート２の内部に通す。各縦長のシート部分２ａ、２ｂの両端間を１往復するように配線するともに、隣接する各縦長シート部分２ａ，２ｂの間で結線した構成とする。これにより、ヒータ線の端子数を少なくすることができ、各面ヒータ１の給電端子同士の接続作業や、給電端子を接続した部分の防水作業の作業量が少なくなり、施工工事が容易化される。【選択図】        図１
2005326045.tif 000002
【特許請求の範囲】
【請求項１】
浴室洗い場床面に敷設される面ヒータであって、
２以上の縦長のシート部分を有し、その縦長のシート部分が一面上に平行に配置され、各々の縦長のシート部分がその一端又は複数の箇所において隣接する縦長のシート部分と連結シート部分により連結されている形状を有する伝熱シート、
及び、前記伝熱シートの表面又は内部に通され、前記伝熱シートを構成する各縦長のシート部分の両端間を１乃至複数回往復するように配線されるとともに、隣接する各縦長シート部分の間で結線された一続きの電熱線
を備えていることを特徴とする面ヒータ。
【請求項２】
裏面に格子状のリブが形成された床を備えた浴室洗い場床であって、
２以上の縦長のシート部分を有し、その縦長のシート部分が一面上に平行に配置され、各々の縦長のシート部分がその一端又は複数の箇所において隣接する縦長のシート部分と連結シート部分により連結されている形状を有する伝熱シート、
及び、前記伝熱シートの表面又は内部に通され、前記伝熱シートを構成する各縦長のシート部分の両端間を１乃至複数回往復するように配線されるとともに、隣接する各縦長シート部分の間で結線された一続きの電熱線
を具備する面ヒータが床の裏面に敷設されており、
前記面ヒータは、前記格子状のリブのうち、一の方向（以下、「縦方向」という。）に平行な相隣り合う一対のリブの間に形成された溝内に沿って、前記伝熱シートの縦長のシート部分が一枚ずつ配され、前記伝熱シートの前記連結シート部分が、前記縦方向のリブを跨ぐように敷設されていることを特徴とする浴室洗い場床。
【請求項３】
前記面ヒータは、前記床の中央線で区切られる左右の床区画にそれぞれ敷設されており、
前記面ヒータの前記電熱線の給電端子は、前記床の中央線の側に配されていることを特徴とする請求項２記載の浴室洗い場床。
【請求項４】
前記面ヒータは、前記床を複数の区画に分けて、それぞれの区画ごとに１つずつ敷設されており、
それぞれの面ヒータへの通電を独立に断通することが可能な通電スイッチを備えていることを特徴とする請求項１又は２記載の浴室洗い場床。
【発明の詳細な説明】
【技術分野】
【０００１】
本発明は、浴室ユニットなどの浴室洗い場床に使用される面ヒータ及びそれを用いた浴室洗い場床に関する。
【背景技術】
【０００２】
従来の浴室洗い場床として、特許文献１に記載されたものが公知である。
【０００３】
図６は、浴室ユニットに設置された洗い場床の概略構成を表す断面図である。浴室ユニット１０１は、その内部が、ユニット壁１０２，１０２、ユニット天井１０３、及び洗い場床１０４により囲繞された構成となっている。
【０００４】
洗い場床１０４上の一区画には、一方のユニット壁１０２に寄せて、浴槽１０５が設置されている。浴槽１０５が設置されていない洗い場床１０４の裏面には、帯状ヒータ１０６が貼付されている。そして、その帯状ヒータ１０６を覆って、断熱用発泡体１０７が貼付されている。
【０００５】
帯状ヒータ１０６は、金属箔又は薄板からなる帯状の伝熱シート１１１に電熱線１１２が通されている（図７参照）。そして、帯状ヒータ１０６には、この電熱線１１２に給電するための電源コード１０８が接続されている。また、伝熱シート１１１は、感電事故を防止する為、アース線１０９により接地されている。電熱線１１２への電流の断通は、電源コード１０８に接続された操作部１１０により行われる。
【０００６】
図７は、洗い場床１０４を裏面からみた平面図である。洗い場床１０４の裏面には、床面の強度を補強するためのリブ１１３ａ，１１３ｂが格子状に形成されている。以下、洗い場床１０４の長手方向に平行なリブ１１３ａを、「縦方向のリブ」と呼び、これに垂直な方向のリブ１１３ｂを「横方向のリブ」と呼ぶ。
【０００７】
相隣り合う縦方向のリブ１１３ａ，１１３ａの間の各溝内に沿って、長尺の帯状ヒータ１０６が１枚ずつ貼付されている。各帯状ヒータ１０６は、その長手方向を平行にして配置されている。帯状ヒータ１０６は、リブ１１３ａ，１１３ａの間の溝を区画する各横方向のリブ１１３ｂを跨いで配されている。溝内では、帯状ヒータ１０６は溝底部に貼付されており、横方向のリブ１１３ｂの部分では、リブ１１３ｂの表面に沿って貼付されている。
【０００８】
各帯状ヒータ１０６には、その長手方向に平行に電熱線１１２が通されている。電熱線１１２は、帯状ヒータ１０６の一端側から入って、他端側でＵ字状に折り返され、上記一端側に出る経路に沿って通されている。相隣り合う帯状ヒータ１０６の電熱線１１２の端子１１２ａは接続され、１本のヒータ回路を構成している。平行に配された帯状ヒータ１０６の列の一方の端に位置する帯状ヒータ１０６の電熱線１１２の端子１１２ａは、電源コード１０８に接続されている。また、その逆側の端に位置する帯状ヒータ１０６の電熱線１１２の端子１１２ａは、接続コード１１４により、帯状ヒータ１０６の列の中央付近に配置されたサーモスタット１１５の一の端子に接続されている。そして、サーモスタット１１５の他の端子は、電源コード１０８に接続されている。
【０００９】
このような構成とすることにより、比較的簡単な作業で、量産性に優れるシート・モールディング（以下、「ＳＭＣ」という。）成形製品の洗い場床に床暖房機能を付加することができる。また、帯状ヒータ１０６が故障した場合には、断熱用発泡体１０７を取り外して帯状ヒータ１０６を交換することができる。従って、ヒータの故障時の修理も簡単となる。
【特許文献１】特開平１１−２９３９３８号公報
【発明の開示】
【発明が解決しようとする課題】
【００１０】
しかしながら、上記従来の浴室洗い場床は、それぞれの縦方向のリブ１１３ａの間の溝に１本ずつ帯状ヒータ１０６を敷設する構成であるため、縦方向のリブ１１３ａの間隔が狭い場合には、多数の帯状ヒータ１０６を床下に敷設する必要がある。そうすると、電熱線１１２の端子１１２ａの数も多くなり、これらの端子１１２ａを接続する作業が非常に煩雑となる。また、帯状ヒータ１０６の故障は、主として、端子１１２ａにおける接触不良や劣化が原因となる場合が多い。そのため、端子１１２ａの数が増えると、それだけ故障が生じる確率も大きくなる。
【００１１】
また、サーモスタット１１５は、通常、浴室洗い場床１０４の床面の中央付近に設置される。この場合、平行に配列された帯状ヒータ１０６のうちいずれか一端の帯状ヒータ１０６からサーモスタット１１５への配線が必要となる。この際の配線距離が長く、配線の無駄が大きいという問題もある。
【００１２】
更に、上記従来の浴室洗い場床１０４のヒータ回路は、一つの回路とされている。そのため、浴室ユニット１０１内の気温に係わらず、洗い場の床暖房を行う場合には、常に洗い場全面が昇温される。しかしながら、浴室ユニット１０１内の気温があまり低くない場合には、浴室ユニット１０１の入り口のドア付近のひんやり感をなくすため、入り口付近のみを床暖房すればすむ。従って、かかる場合、暖房の無駄が生じるという問題もある。
【００１３】
そこで、本発明の目的は、浴室洗い場床の裏面の格子状のリブの間隔が狭い場合においても、洗い場床の裏面に暖房機能を付加する際に、ヒータ線の端子数を少なくすることができる面ヒータを提供することにある。
【００１４】
また、本発明の目的は、面ヒータの設置又は取り替え時の工事が簡単で、洗い場床の裏面におけるヒータ線の端子数が少ない、床暖房機能を備えた浴室洗い場床を提供することにある。
【００１５】
更に、本発明の他の目的としては、床面中央付近にサーモスタットを取り付ける際に、配線の無駄を少なくでき、また、床面を複数の区画に分けて暖房することが可能な浴室洗い場床を提供することにある。
【課題を解決するための手段】
【００１６】
本発明に係る面ヒータの構成は、浴室洗い場床面に敷設される面ヒータにおいて、
（ａ）２以上の縦長のシート部分を有し、その縦長のシート部分が一面上に平行に配置され、各々の縦長のシート部分がその一端又は複数の箇所において隣接する縦長のシート部分と連結シート部分により連結されている形状を有する伝熱シート、
（ｂ）及び、前記伝熱シートの表面又は内部に通され、前記伝熱シートを構成する各縦長のシート部分の両端間を１乃至複数回往復するように配線されるとともに、隣接する各縦長シート部分の間で結線された一続きの電熱線
を備えていることを特徴とする。
【００１７】
この構成により、格子状のリブを有する浴室洗い場床の裏面に対して、一の方向（以下、「縦方向」という。）に平行な隣り合う一対のリブ間に形成された溝内に、伝熱シートの縦長のシート部分が縦方向のリブと平行になるように配置することによって、リブの凹凸に沿って面ヒータを貼り付けることが可能である。また、複数の縦長のシート部分が連結シート部分により連結されているため、上述した従来の浴室洗い場床で使用される面ヒータに比べ、床下に敷設する面ヒータのアッセンブリ（面ヒータの各部分が集合して一つの部品になっているもののこと。以下、「ヒータ・アッセンブリ」という。）の数を少なくすることができる。各ヒータ・アッセンブリには、電熱線への給電のための端子（給電端子）が２つ必要であるが、床下に敷設するヒータ・アッセンブリの数が減れば、床下の給電端子の数も減らすことが可能である。従って、各ヒータ・アッセンブリの給電端子同士の接続作業や、給電端子を接続した部分の防水作業の作業量が少なくなり、面ヒータの施工工事が容易化される。
【００１８】
ここで、「縦長のシート部分」の形状は、特に限定されず、例えば、矩形、蛇行した縦長形状等を含む。また、２つの縦長のシート部分が連結シート部分により連結されている位置は、縦長のシート部分の一端部分であっても、その他の部分（例えば、中央部分、両端部分等）であってもよい。
【００１９】
本発明に係る浴室洗い場床の第１の構成は、裏面に格子状のリブが形成された床を備えた浴室洗い場床において、
（ａ）２以上の縦長のシート部分を有し、その縦長のシート部分が一面上に平行に配置され、各々の縦長のシート部分がその一端又は複数の箇所において隣接する縦長のシート部分と連結シート部分により連結されている形状を有する伝熱シート、
（ｂ）及び、前記伝熱シートの表面又は内部に通され、前記伝熱シートを構成する各縦長のシート部分の両端間を１乃至複数回往復するように配線されるとともに、隣接する各縦長シート部分の間で結線された一続きの電熱線
を具備する面ヒータが床の裏面に敷設されており、前記面ヒータは、前記格子状のリブのうち、一の方向（以下、「縦方向」という。）に平行な相隣り合う一対のリブの間に形成された溝内に沿って、前記伝熱シートの縦長のシート部分が一枚ずつ配され、前記伝熱シートの前記連結シート部分が、前記縦方向のリブを跨ぐように敷設されていることを特徴とする。
【００２０】
この構成によれば、面ヒータは、一つの縦長のシート部分が、縦方向のリブ間に形成された一つの溝内に沿って敷設される。また、その縦長のシート部分の隣の縦長のシート部分は、隣の溝内に沿って敷設される。各縦長のシート部分は、縦方向のリブに交差する方向（以下、「横方向」という。）のリブを跨ぐようにして、床の裏面に、貼付や圧着等により配されることになる。また、隣り合う縦長のシート部分の間を繋ぐ連結シート部分は、双方の縦長のシート部分の間に形成されたリブを跨ぐようにして、床の裏面に、貼付や圧着等により配されることになる。このように、複数の縦長のシート部分を連結シート部分で連結した形状としているため、床の裏面に格子状に形成されたリブに適合して面ヒータを配することができる。この場合、面ヒータは、複数の縦長のシート部分が連結シート部分により連結された構造を有するため、従来はバラバラの縦長のシート状の面ヒータであったものが１つの面ヒータのアッセンブリ（ヒータ・アッセンブリ）として一体化されており、一本の電熱線が張り巡らされるヒータ・アッセンブリの面積を大きくすることができる。従って、床下に敷設するヒータ・アッセンブリの数を少なくすることができる。そして、各ヒータ・アッセンブリの給電端子同士の接続作業や、給電端子を接続した部分の防水作業の作業量が少なく、浴室洗い場床の施工工事が容易化される。
【００２１】
本発明に係る浴室洗い場床の第２の構成は、前記第１の構成において、前記面ヒータは、前記床の中央線で区切られる左右の床区画にそれぞれ敷設されており、前記面ヒータの前記電熱線の給電端子は、前記床の中央線の側に配されていることを特徴とする。
【００２２】
このように、面ヒータを床面の左右の区画に分けてそれぞれ配し、電熱線の給電端子を床の中央線の側に配すことで、電熱線の給電端子の位置を浴室洗い場床の中央付近とすることができる。従って、浴室洗い場床をどちらの向きに設置しても給電端子は浴室洗い場の中央付近に位置することとなる。従って、浴室洗い場床の設置向きの制約が厳しくないため、床の設置作業時に、設置向きの間違えによる床の交換のような余分な作業が発生する心配がなくなる。
【００２３】
また、各面ヒータの電熱線回路内に自動温度調節器（サーモスタット）を接続する場合、通常、サーモスタットは、浴室洗い場床の中央線を挟んだ左右の床区画のそれぞれの中央部に１つずつ配置される。従って、給電端子を浴室洗い場の中央付近に位置させることで、給電端子が浴室洗い場の端に位置する場合に比べて、給電端子からサーモスタットに至る接続配線の長さを短くすることができる。従って、配線材料の無駄をなくし、コストの低減を図ることが可能となる。
【００２４】
本発明に係る浴室洗い場床の第３の構成は、前記第１又は２の構成において、前記面ヒータは、前記床を複数の区画に分けて、それぞれの区画ごとに１つずつ敷設されており、それぞれの面ヒータへの通電を独立に断通することが可能な通電スイッチを備えていることを特徴とする。
【００２５】
この構成によれば、例えば、気温がかなり低いときには、通電スイッチを操作して、浴室洗い場床全体を暖房する。一方、気温があまり低くないときは、浴室洗い場の入り口から浴室洗い場に入った瞬間のひんやり感を和らげるため、通電スイッチを操作して、浴室洗い場の入り口付近の床のみを暖房する。このように、通電スイッチを操作して、床暖房が必要な床の区画のみを暖房し、暖房に要する電気エネルギーを節約することができる。
【発明の効果】
【００２６】
以上のように、本発明に係る面ヒータによれば、複数の縦長のシート部分が連結シート部分により連結された構造を有するため、床下に敷設するヒータ・アッセンブリの数を少なくすることができる。そして、各ヒータ・アッセンブリの給電端子同士の接続作業や、給電端子を接続した部分の防水作業の作業量が少なくなり、面ヒータの施工工事が容易化される。
【００２７】
また、本発明に係る浴室洗い場床によれば、使用される面ヒータが、従来はバラバラの縦長のシート状の面ヒータであったものが１つのヒータ・アッセンブリとして一体化されたものであり、一本の電熱線が張り巡らされるヒータ・アッセンブリの面積が大きい。従って、床下に敷設するヒータ・アッセンブリの数を少なくすることができる。そして、各ヒータ・アッセンブリの給電端子同士の接続作業や、給電端子を接続した部分の防水作業の作業量が少なく、浴室洗い場床の施工工事が容易化される。
【００２８】
また、数個のヒータ・アッセンブリの内１乃至数個に通電することにより、洗い場床面の必要とされる箇所のみを暖房することができる。これにより床全面を暖房するのに比べて電気エネルギーを節約することができる。
【００２９】
また、例えば外気温サーミスタと連動させ、ある一定の気温になったときにヒータへの通電を自動的にオンすることができる。また、一般的に通電後約３０分で床の温度が入浴最適温度に達するため、あらかじめ設定された時刻、例えば風呂の沸き上がり予約時刻に合わせて、床温度が最適になるように通電を開始することができる。
【発明を実施するための最良の形態】
【００３０】
以下、本発明を実施するための最良の形態について、図面を参照しながら説明する。
【実施例１】
【００３１】
図１は、本発明の実施例１に係る面ヒータを表す平面図である。本実施例に係る面ヒータ１は、浴室洗い場床面に敷設されるものである。面ヒータ１は、良伝熱体からなる伝熱シート２を有する。この伝熱シート２は、２つの縦長シート部分２ａ，２ｂを有している。２つの縦長シート部分２ａ，２ｂは、一平面上に、長手方向を平行にして配置されている。そして、２つの縦長シート部分２ａ，２ｂの一端において、２つの縦長シート部分２ａ，２ｂは連結シート部分２ｃにより連結されており、伝熱シート２は、全体としてП字型の形状を有する。
【００３２】
伝熱シート２は、２枚の金属製薄板を上下に貼り合わせた構成からなる。具体的には、金属製薄板としては、例えば、厚さ２０〜１００μｍのアルミ箔（又はアルミ・テープ）などを使用することができる。２枚の金属薄板を貼り合わせる方法は、例えば、接着剤や両面テープで貼り付ける方法、ホット・プレスによる溶着などの方法を使用することができる。
【００３３】
また、伝熱シート２の内部には、縦長のシート部分２ａ，２ｂの両端間を１往復するように、電熱線３が配線されている。縦長のシート部分２ａ，２ｂ内の電熱線３は、連結シート部分２ｃの部分で結線されており、全体として一続きに構成されている。
【００３４】
この電熱線３としては、例えば、ニクロム線、タングステン線等を絶縁体で被覆したコード状発熱体を使用することができる。コード状発熱体としては、具体的には、例えば、ジイゲルヒーター、ガラスヒーター、バイゼルヒーター、フルボンヒーター等を使用することが可能である。
【００３５】
電熱線３の両端には、リード線４，４に接続するための給電端子３ａ，３ｂが設けられている。給電端子３ａ，３ｂは、伝熱シート２との間の絶縁を確保するため、絶縁チューブにより被覆されている。また、リード線４，４は、外部から電熱線３に給電するための電源コード（図示せず）に接続するためのものである。
【００３６】
更に、伝熱シート２には、万一、漏電が発生した際の、安全性を確保するために、アース線５が接続されている。
【００３７】
以上のように構成された本実施例に係る面ヒータ１について、その作用効果を説明する。この面ヒータ１を、格子状のリブを有する浴室洗い場床の裏面に貼り付ける場合、縦長シート部分２ａ、２ｂの長手方向が、格子状のリブのうち一の方向（以下、「縦方向」という。）のリブに平行となるように向けて貼り付ける。その際、縦長シート部分２ａ，２ｂを、隣り合う一対の縦方向のリブ間に形成された溝内に入るように配置する。この場合、連結シート部分２ｃは、２つの縦長シート部分２ａ，２ｂの間の縦方向のリブを跨ぐように敷設される。伝熱シート２は、上述のようなΠ字型の形状を有しているため、それぞれのリブと縦方向のリブ間に形成された溝の底面に、リブの凹凸に沿って密着するように貼り付けることが可能となる。
【００３８】
また、上述した従来の帯状の面ヒータに比べると、伝熱シート２は２つの縦長シート部分２ａ，２ｂが連結シート部分２ｃで結合されているので、従来の帯状の面ヒータの２本が１つのヒータ・アッセンブリとされていることに相当する。従って、上述した従来の浴室洗い場床で使用される面ヒータに比べ、床下に敷設するヒータ・アッセンブリの数を少なくすることができる。各ヒータ・アッセンブリには、電熱線３へ給電するための給電端子３ａ，３ｂ及びリード線４，４がそれぞれ２組必要であるが、床下に敷設するヒータ・アッセンブリの数が減れば、その分だけ床下の給電端子の数も減らすことが可能である。従って、各ヒータ・アッセンブリの給電端子同士の接続作業や、給電端子を接続した部分の防水作業の作業量が少なくなり、面ヒータの施工工事が容易化されることになる。
【実施例２】
【００３９】
図２は、本発明の実施例２に係る面ヒータを表す平面図である。図２において、図１と同様の構成については、同符号を付して説明を省略する。本実施例に係る面ヒータ１’は、伝熱シート２’が３つの縦長シート部分２ａ’，２ｂ’，２ｃ’を有しており、各縦長シート部分２ａ’，２ｂ’及び２ｂ’，２ｃ’が、連結シート部分２ｄ’，２ｅ’により連結されていることを特徴としている。伝熱シート２’は、全体としてШ字型を呈している。
【００４０】
このように構成しても、実施例１と同様の作用効果を得ることができる。
【００４１】
尚、本実施例では伝熱シートの縦長シート部分を３つの場合について例示したが、本発明においては縦長シート部分の数は２つ又は３つに限定されず、それ以上であってもよい。また、実施例１，２では、伝熱シートの連結シート部分は縦長シート部分の一端としたが、本発明においては、連結シート部分の位置や数はこれに限定されず、例えば、縦長シート部分の中央や両端などとしてもよい。
【実施例３】
【００４２】
図３は、本発明の実施例３に係る浴室洗い場床の裏面を表す斜視図、図４は、本発明の実施例３に係る浴室洗い場床の配線構造を表す平面模式図である。図３、図４において、図１，図２と同様の構成部分については、同符号を付している。
【００４３】
本実施例に係る浴室洗い場床１０は、上述の従来例に示したような浴室ユニットにおける洗い場床に使用されるものである。この浴室洗い場床１０は、量産性に優れるシート・モールディング（ＳＭＣ）成型品などによって構成されている。
【００４４】
浴室洗い場床１０は、平面視でほぼ長方形の形状を有する。浴室洗い場床１０の裏面には、格子状のリブ１２が突出形成されている。以下では、浴室洗い場床１０の長手方向を「縦方向」といい、それに垂直な方向を「横方向」という。リブ１２は、複数本が平行に配列された縦方向のリブ１２ａと、複数本が平行に配列された横方向のリブ１２ｂとが格子状に交差した構成を有する。格子のマス部分１３は平面である。
【００４５】
浴室洗い場床１０の一の長辺の中央付近には、排水桝１４が形成されている。排水桝１４の中央には、表面から裏面に貫通する円形の排水口１４ａが形成されている。また、排水桝１４が形成された長辺に沿って、排水桝１４から左右に排水樋１５，１５が形成されている。
【００４６】
浴室洗い場床１０の裏面中央付近には、排水桝１４を通る中央線を中心として、左右に２枚の面ヒータ１，１、及び２枚の面ヒータ１’，１’が対称に貼り付けられている。面ヒータ１の縦長シート部分２ａ，２ｂ及び面ヒータ１’の縦長シート部分２ａ’，２ｂ’，２ｃ’は、それぞれ、各横方向のリブ１２ｂを跨ぐようにして、隣接する２つの縦方向のリブ１２ａ，１２ａ間に形成された一つの溝内に沿って貼付されている。また、隣り合う縦長シート部分２ａ，２ｂ、２ａ’，２ｂ’、２ｂ’，２ｃ’の間を繋ぐ連結シート部分２ｃ，２ｄ’，２ｅ’は、双方の縦長のシート部分の間に形成された縦方向のリブ１２ａを跨ぐようにして、床の裏面に貼付されている。
【００４７】
横方向に隣接する２つの面ヒータ１，１’は、近接する給電端子３ａ，３ｂ間が、サーモスタット１６を介して、リード線４により接続されている。サーモスタット１６は、排水桝１４を通る中央線を中心とした浴室洗い場床１０の左右床面の中央付近のマス部分１３の底面に貼付されている。このサーモスタット１６は、面ヒータ１’，１’の表面温度が所定の温度に達したときにオフ状態となる。これにより、暖房温度のオン・オフ制御がされる。
【００４８】
また、排水桝１４を通る中央線を挟んで左右に配された面ヒータ１’，１’の給電端子３ｂ，３ｂは、リード線４により接続されている。そして、排水桝１４を通る中央線を挟んで左右に配された面ヒータ１，１の給電端子３ａ，３ａは、リード線４を介して、電源コード（図示せず）に接続されている。これにより、各面ヒータ１，１’，１’，１の
電熱線３は、一続きの直列回路を構成している。
【００４９】
上述のように、各面ヒータ１，１’は、複数の縦長シート部分を連結シート部分で連結した形状としているため、床の裏面に格子状に形成されたリブに適合して面ヒータを配することができる。また、従来はバラバラの縦長のシート状の面ヒータであったものが１つのヒータ・アッセンブリとして一体化されており、一本の電熱線が張り巡らされるヒータ・アッセンブリの面積を大きくすることができる。従って、床下に敷設するヒータ・アッセンブリの数を少なくすることができる。そして、各ヒータ・アッセンブリの給電端子同士の接続作業や、給電端子を接続した部分の防水作業の作業量が少なく、浴室洗い場床の施工工事が容易化される。
【００５０】
また、本実施例においては、排水桝１４を通る中央線を中心として、浴室洗い場床１０を左右２面の区画に分け、この左右の区画に各面ヒータ１，１’を対称に配置した構成とした。これにより、電熱線３の給電端子３ａ，３ｂの位置を浴室洗い場床１０の中央付近とすることができる。従って、浴室洗い場床１０をどちらの向きに設置しても各給電端子３ａ，３ｂは浴室洗い場１０の中央付近に位置することとなる。従って、浴室洗い場床１０の設置向きの制約が厳しくないため、床の設置作業時に、設置向きの間違えによる床の交換のような余分な作業が発生する心配がなくなる。
【００５１】
尚、本実施例においては、すべての面ヒータ１，１’の電熱線３を直列接続する構成としたが、左右の区画の面ヒータ１，１’ごとに、又はそれぞれの面ヒータ１，１’ごとに、独立に電源供給を行い、左右の区画ごと又は各面ヒータ１，１’ごとに通電のオン・オフを行う構成としてもよい。これにより、浴室洗い場床１０の床面の必要とされる箇所のみを集中的に暖房することができ、浴室洗い場床１０全面を暖房するのに比べて電気エネルギーを節約することができる。
【実施例４】
【００５２】
図５は、本発明の実施例４に係る浴室洗い場床の配線構造を表す平面模式図である。本実施例においては、２つの面ヒータ１，１’を浴室洗い場床１０’の縦方向全体にわたって敷設した構成を有する。
【００５３】
このような構成によっても、ヒータ・アッセンブリの数を減らすことができるので、浴室洗い場床の施工工事が容易化される。
【図面の簡単な説明】
【００５４】
【図１】本発明の実施例１に係る面ヒータを表す平面図である。
【図２】本発明の実施例２に係る面ヒータを表す平面図である。
【図３】本発明の実施例３に係る浴室洗い場床の裏面を表す斜視図である。
【図４】本発明の実施例３に係る浴室洗い場床の配線構造を表す平面模式図である。
【図５】本発明の実施例４に係る浴室洗い場床の配線構造を表す平面模式図である。
【図６】浴室ユニットに設置された洗い場床の概略構成を表す断面図である。
【図７】洗い場床を裏面からみた平面図である。
【符号の説明】
【００５５】
１，１’  面ヒータ
２，２’  伝熱シート
２ａ，２ｂ，２ａ’，２ｂ’，２ｃ’  縦長シート部分
２ｃ，２ｄ’，２ｅ’  連結シート部分
３  電熱線
３ａ，３ｂ  給電端子
４  リード線
４ａ，４ｎ  接続端子
５  アース線
１０，１０’  浴室洗い場床
１２  リブ
１２ａ  縦方向のリブ
１２ｂ  横方向のリブ
１３  マス部分
１４  排水桝
１４ａ  排水口
１５  排水樋
１６  サーモスタット
１０１  浴室ユニット
１０２  ユニット壁
１０３  ユニット天井
１０４  洗い場床
１０５  浴槽
１０６  帯状ヒータ
１０７  断熱用発泡体
１０８  電源コード
１０９  アース線
１１１  伝熱シート
１１２  電熱線
１１２ａ  端子
１１３ａ，１１３ｂ  リブ
１１４  接続コード
１１５  サーモスタット
【図１】
2005326045.tif 000003
【図２】
2005326045.tif 000004
【図３】
2005326045.tif 000005
【図４】
2005326045.tif 000006
【図５】
2005326045.tif 000007
【図６】
2005326045.tif 000008
【図７】
2005326045.tif 000009